(57)【要約】【課題】  入力レベルに応じたブースト量を自動で可変し、オーバーフロー自動検知を可能にしてアタック／リカバリー機能により違和感無くコンブレッション機能を実現できる自動音質調整装置を得る。【解決手段】  アナログ信号をディジタル信号に変換するＡ／Ｄコンバータ１と、このＡ／Ｄコンバータ１で変換されたディジタル信号のブースト量を可変して音質調整を行うＤＳＰ２と、このＤＳＰ２で音質調整されたディジタル信号をアナログ信号に変換して出力するＤ／Ａコンバータ３，４と、ＤＳＰ２で可変するブースト量を制御するマイコン７とを備えた自動音質調整装置において、ＤＳＰ２は、入力レベルが下降した場合はブースト量を徐々に上昇させ、入力レベルが上昇した場合はブースト量を徐々に下降させるものである。【選択図】        図１
2006339864.tif 000002
【特許請求の範囲】
【請求項１】
アナログ信号をディジタル信号に変換するＡ／Ｄコンバータと、該Ａ／Ｄコンバータで変換されたディジタル信号のブースト量を可変して音質調整を行う音質調整手段と、該音質調整手段で音質調整されたディジタル信号をアナログ信号に変換して出力するＤ／Ａコンバータと、上記音質調整手段で可変するブースト量を制御する制御手段とを備えた自動音質調整装置において、
上記音質調整手段は、入力レベルが下降した場合は上記ブースト量を徐々に上昇させ、入力レベルが上昇した場合は上記ブースト量を徐々に下降させることを特徴とする自動音質調整装置。
【請求項２】
上記音質調整手段は、上記Ａ／Ｄコンバータからの複数チャンネルの入力値の絶対値を算出する絶対値処理部と、該絶対値処理部で算出された入力値の絶対値からアタック／リカバリー値とブースト量を選択するレベル検出部と、該レベル検出部の出力からブースト演算を行うコンプレッション利得演算部と、上記複数チャンネルの一方の入力値から低音帯域を抜き出す第１のローパスフィルタと、上記複数チャンネルの一方の入力値から高音帯域を抜き出す第1のハイパスフィルタと、上記コンプレッション利得演算部の演算値と上記第１のローパスフィルタおよび第１のハイパスフィルタの各出力値をそれぞれ乗算する第１の乗算器と、該第１の乗算部の各出力と上記複数チャンネルの一方の入力値を加算する第１の加算器と、上記複数チャンネルの他方の入力値から低音帯域を抜き出す第２のローパスフィルタと、上記複数チャンネルの他方の入力値から高音帯域を抜き出す第２のハイパスフィルタと、上記コンプレッション利得演算部の演算値と上記第２のローパスフィルタおよび第２のハイパスフィルタの各出力値をそれぞれ乗算する第２の乗算器と、該第２の乗算部の各出力と上記複数チャンネルの他方の入力値を加算する第２の加算器とを備えたことを特徴とする請求項１記載の自動音質調整装置。
【請求項３】
上記音質調整手段は、複数チャンネルの一方の入力値から特定の周波数帯域を抜き出す第１のバンドパスフィルタと、上記複数チャンネルの他方の入力値から特定の周波数帯域を抜き出す第２のバンドパスフィルタと、上記第１および第２のバンドパスフィルタからの複数チャンネルの入力値の絶対値を算出する絶対値処理部と、該絶対値処理部で算出された入力値の絶対値からアタック／リカバリー値とブースト量を選択するレベル検出部と、該レベル検出部の出力からブースト演算を行うコンプレッション利得演算部と、上記第１のバンドパスフィルタの出力と上記コンプレッション利得演算部の出力を乗算する第１の乗算器と、上記第２のバンドパスフィルタの出力と上記コンプレッション利得演算部の出力を乗算する第２の乗算器と、上記第１の乗算器の出力と上記複数チャンネルの一方の入力値を加算する第１の加算器と、上記第２の乗算器の出力と上記複数チャンネルの他方の入力値を加算する第２の加算器とを備えたことを特徴とする請求項１記載の自動音質調整装置。
【請求項４】
上記音質調整手段は、上記Ａ／Ｄコンバータからの複数チャンネルの入力値からそれぞれ低音帯域を抜き出す第１のローパスフィルタと、該第１のローパスフィルタの出力から入力値の絶対値を算出する第１の絶対値処理部と、該第１の絶対値処理部で算出された入力値の絶対値からアタック／リカバリー値とブースト量を選択する第１のレベル検出部と、該第１のレベル検出部の出力からブースト演算を行う第１のコンプレッション利得演算部と、上記第１のローパスフィルタの出力の一方と上記第１のコンプレッション利得演算部の出力を乗算する第１の乗算器と、上記第１のローパスフィルタの出力の他方と上記コンプレッション利得演算部の出力を乗算する第２の乗算器と、上記Ａ／Ｄコンバータからの複数チャンネルの入力値からそれぞれ高音帯域を抜き出す第２のローパスフィルタと、該第２のローパスフィルタの出力から入力値の絶対値を算出する第２の絶対値処理部と、該第２の絶対値処理部で算出された入力値の絶対値からアタック／リカバリー値とブースト量を選択する第２のレベル検出部と、該第２のレベル検出部の出力からブースト演算を行う第２のコンプレッション利得演算部と、上記第２のローパスフィルタの出力の一方と上記第２のコンプレッション利得演算部の出力を乗算する第３の乗算器と、上記第２のローパスフィルタの出力の他方と上記第２の上記コンプレッション利得演算部の出力を乗算する第４の乗算器と、上記第１および第３の乗算器の出力と上記複数チャンネルの一方の入力値を加算する第１の加算器と、上記第２および第４の乗算器の出力と上記複数チャンネルの他方の入力値を加算する第２の加算器とを備えたことを特徴とする請求項１記載の自動音質調整装置。
【請求項５】
上記音質調整手段として、アタック/リカバリー機能を有し、ユーザーが設定したブースト量を入力レベルに対して可変するディジタルシグナルプロセッサを用いることを特徴とする請求項１から請求項４のうちのいずれか１項に記載の自動音質調整装置。
【発明の詳細な説明】
【技術分野】
【０００１】
この発明は、車両等に搭載して好適な自動音質調整装置に関し、特に、入力レベルによって周波数領域のブースト量を自動で可変させる自動音質調整装置に関するものである。
【背景技術】
【０００２】
従来、音質調整装置における音質補正としてＢＡＳＳ調整、ＴＲＥＢＬＥ調整と両方の機能を合わせて高域と低域のＬＯＵＤ調整というのがある。また、内臓のＤＳＰ（ディジタルシグナルプロセッサ）を利用してオーバーフローしそうな帯域を補正してオーバーフローを起こさないようにするというものである（例えば、特許文献１参照）。
【０００３】
【特許文献１】特開平６−３１０９６３号公報
【発明の開示】
【発明が解決しようとする課題】
【０００４】
しかしながら、上述のような従来の音質調整装置の場合には、ＶＯＬ値でオーバーフローの調整を行うと全帯域のレベルまで調整されてしまいオーバーフローしないレベルにある帯域まで補正がかかってしまうという問題点があった。
【０００５】
この発明は、前記のような課題を解決するためになされたもので、入力レベルに応じたブースト量を自動で可変し、オーバーフロー自動検知を可能にしてアタック／リカバリー機能により違和感無くコンブレッション機能を実現できる自動音質調整装置を得ることを目的とする。
【課題を解決するための手段】
【０００６】
この発明に係る自動音質調整装置は、アナログ信号をディジタル信号に変換するＡ／Ｄコンバータと、このＡ／Ｄコンバータで変換されたディジタル信号のブースト量を可変して音質調整を行う音質調整手段と、この音質調整手段で音質調整されたディジタル信号をアナログ信号に変換して出力するＤ／Ａコンバータと、音質調整手段で可変するブースト量を制御する制御手段とを備えた自動音質調整装置において、音質調整手段は、入力レベルが下降した場合はブースト量を徐々に上昇させ、入力レベルが上昇した場合はブースト量を徐々に下降させるものである。
【発明の効果】
【０００７】
この発明は、入力レベルによってアタック／リカバリー処理を使用してブースト量を可変し、オーバーフローすることなく、また、聴感上違和感なくブース卜して音質調整を行うことができるという効果がある。
【発明を実施するための最良の形態】
【０００８】
以下、この発明の実施の一形態を、図１〜図１２を参照して説明する。
実施の形態１．
図１は、この発明の実施の形態１による自動音質調整装置を示すブロック図である。
本実施の形態では、ユーザーが設定したブースト量をＤＳＰ（ディジタルシグナルプロセッサ）内で入力レベルに対して可変し、同時にオーバーフロー検知も自動で行い出力レベルの歪を無くし、また、アタック/リカバリー機能により聴感上違和感なくブース卜するようにする。
図１において、自動音質調整装置は、入力側から供給されるＬｃｈ（Ｌチャンネル）のオーディオ信号およびＲｃｈ（Ｒチャンネル）のオーディオ信号を、アナログ信号からディジタル信号に変換するＡ／Ｄコンバータ１と、Ａ／Ｄコンバータ１からの出力に対してブースト調整など音質調整を行う音質調整手段としてのＤＳＰ２と、ＤＳＰ２で音質調整されたデータをディジタル信号からアナログ信号に変換するＤ/Ａコンバータ３,４と、Ｄ/Ａコンバータ３,４でＤ/Ａ変換された音声信号を増幅して、図示せずも、それぞれフロントスピーカおよびリアスピーカに出力するアンプ５,６と、ＤＳＰ２に接続されてブースト量や演算係数を制御するマイコン７と、このマイコン７に接続されてブースト量などを選択するスイッチ８とを備える。
【０００９】
図２は、ＤＳＰ２の内部構成の一例を示す図である。
図２において、ＤＳＰ２は、Ａ／Ｄコンバータ１からのＬｃｈ入力とＲｃｈ入力から入力値の絶対値を算出する絶対値処理部２１と、絶対値処理部２１で算出された入力値の絶対値からアタック／リカバリー値とブースト量を選択するレベル検出部２２と、レベル検出部２２の出力からブースト演算を行うコンプレッション利得演算部２３と、Ｌｃｈの入力値からＢＡＳＳ（低音）帯域を抜き出すＢＡＳＳ−ＬＰＦ（ＢＡＳＳローパスフィルタ）２４と、Ｌｃｈの入力値からＴＲＥＢＬＥ（高音）帯域を抜き出すＴＲＥＢＬＥ−ＨＰＦ（ＴＲＥＢＬＥハイパスフィルタ）２５と、コンプレッション利得演算部２３の演算値とＢＡＳＳ−ＬＰＦ２４およびＴＲＥＢＬＥ−ＨＰＦ２５の出力値をそれぞれ乗算する乗算器２６,２７と、乗算部２６,２７の各出力とＬｃｈの入力値を加算する加算器２８と、Ｒｃｈの入力値からＢＡＳＳ帯域を抜き出すＢＡＳＳ−ＬＰＦ（ＢＡＳＳローパスフィルタ）２９と、Ｒｃｈの入力値からＴＲＥＢＬＥ帯域を抜き出すＴＲＥＢＬＥ−ＨＰＦＴＲＥＢＬＥハイパスフィルタ）３０と、コンプレッション利得演算部２３の演算値とＢＡＳＳ−ＬＰＦ２９およびＴＲＥＢＬＥ−ＨＰＦ３０の出力値をそれぞれ乗算する乗算器３１,３２と、乗算部３１,３２の各出力とＲｃｈの入力値を加算する加算器３３とを有する。
【００１０】
従って、コンプレッション利得演算部２３、ＢＡＳＳ−ＬＰＦ２４、ＴＲＥＢＬＥ−ＨＰＦ２５、乗算器２６,２７および加算器２８を含む上側部分では、入力値からＢＡＳＳ帯域を抜き出し、ブースト量を演算して入力値を足し込み、また、コンプレッション利得演算部２３、ＢＡＳＳ−ＬＰＦ２９、ＴＲＥＢＬＥ−ＨＰＦ３０、乗算器３１,３２および加算器３３を含む下側部分では、入力値からＴＲＥＢＬＥ帯域を抜き出し、ブースト量を演算して入力値を足し込むように働く。
【００１１】
次に、図３を参照して、ＤＳＰ２における音質制御処理の動作を説明する。
ステップＳＴ１において、絶対値処理部２１で入力信号の絶対値の処理取得、即ち入力値の絶対値を算出し、ステップＳＴ２において、レベル検出部２２により入力最大値がサンプリング前最大値以上であるか否か、つまり、前出力値と現出力値を比較してアタックまたはリカバリーの分岐処理を行い、入力最大値がサンプリング前最大値以上であれば、ステップＳＴ３において、コンプレッション利得演算部２３でアタック処理、つまりアタック係数の選択を行い、入力最大値がサンプリング前最大値以上でなければ、ステップＳＴ４において、リカバリー処理、つまりリカバリー係数の選択を行う。
【００１２】
そして、上述のステップＳＴ３のアタック処理またはステップＳＴ４のリカバリー処理が終わると、ステップＳＴ５において、入力レベルがブーストレベルＬ１以上か否かの分岐処理を行い、ステップＳＴ５で入力レベルがブーストレベルＬ１以上であれば、ステップＳＴ６において、ブーストレベルに応じた傾き,切片の選択、つまり、ブーストレベルＬ１用の傾き,切片の選択を行い、ステップＳＴ５で入力レベルがブーストレベルＬ１以上でなければ、ステップＳＴ７において、入力レベルがブーストレベルＬ２以上か否かの分岐処理を行い、ステップＳＴ７で入力レベルがブーストレベルＬ２以上であれば、ステップＳＴ８において、ブーストレベルに応じた傾き,切片の選択、つまり、ブーストレベルＬ２用の傾き,切片の選択を行い、ステップＳＴ７で入力レベルがブーストレベルＬ２以上でなければ、ステップＳＴ９において、ブーストレベルに応じた傾き,切片の選択、つまり、ブーストレベルＬ３用の傾き,切片の選択を行う。
【００１３】
そして、ステップＳＴ６、Ｓ８およびＳ９におけるブーストレベルに応じた傾き,切片の選択が全て終了すると、ステップＳＴ１０において、出力目標値の算出を次式に従って行う。
【００１４】
出力目標値＝平滑処理後の信号×傾き＋切片                      （１）
次いで、ステップＳＴ１１において、出力目標値への演算用ＧＡＩＮの算出を次式に従って行う。
ＧＡＩＮ＝出力目標値＋平滑処理後の信号                        （２）
最後に、ステップＳＴ１２において、算出されたＧＡＩＮを、加算器２８,３３により次式に従い現入力、ＬＰＦ信号、ＨＰＦ信号それぞれに演算して足し込む。
ダイレクト信号×ＧＡＩＮ＋ＬＰＦ信号×ＧＡＩＮ＋ＨＰＦ信号×ＧＡＩＮ
（３）
【００１５】
図４は、上述したＤＳＰ２におけるアタック／リカバリー機能の作用を示した図である。
一般に、入力レベルに変化があった場合、設定されたブースト量まで出力レベルを上昇/下降させるときに一気に目標値まで変化させてしまうと聴感上違和感が生じてしまう。そこで、本実施の形態では、これを回避するためアタック／リカバリーというブースト量指定係数を用意することにより、出力レベルを徐々に上昇/下降し上違和感が生じさせずにブーストを行うものである。
図４において、符号Ａで示す部分は、入力が下降した場合徐々にブースト量を上昇させる領域であり、符号Ｂで示す部分は、入力が上昇した場合徐々にブースト量を下降させる領域である。
【００１６】
また、図５は、上述したＤＳＰ２において、入力レベルにより設定されたブースト量を可変した場合のコンプレッション特性を示す図である。
図５において、特性ａはブーストをＯＦＦとした状態、特性ｂはブーストを２ｄＢとした状態、特性ｃはブーストを４ｄＢとした状態、特性ｄはブーストを６ｄＢとした状態、特性ｅはブーストを８ｄＢとした状態、特性ｆはブーストを１０ｄＢとした状態をそれぞれ表している。
【００１７】
ここでは、特性ａはブーストをＯＦＦとしているので、その傾きは何も変化せず、特性ｂから特性ｆでは、その傾きは平行に持ち上がらず、入力レベルに応じて持ち上がっていることが分かる。因みに、この図５では、入力レベルの低い所ではブースト量を多めに、入力レベルの高い所ではブースト量を少な目に持ち上げる、即ち、特性ａの傾きには何も変化はないが、入力が−２０ｄＢ以下だとブースト量が多目に、入力が−２０ｄＢ〜１０ｄＢではブースト量が少し少な目、そして、１０ｄＢ〜０ｄＢではブースト量が更に少な目になっていることがわかる。このように、入力レベルにより設定されたブースト量を可変させることにより、オーバーフローを防ぐことができる。
【００１８】
図６は、本実施の形態における周波数特性の一例を示しており、入力信号が全帯域での入力レベルなので各帯域に合わせたブーストができないが、処理ステップ数が少なく、また、係数によってブースト量を変更（機種毎の仕様に合わせて等）できる利点がある。
【００１９】
このように、本実施の形態では、入力レベルによってアタック／リカバリー処理を使用してブースト量を可変し、オーバーフローすることなく、また、聴感上違和感なくブース卜して音質調整を行うことができる。
【００２０】
実施の形態２．
図７は、この発明の実施の形態２による自動音質調整装置を示すもので、本実施の形態では、図１におけるＤＳＰ２の代わりにその内部処理が一部異なる音質調整手段としてのＤＳＰ２Ａを用いるものであり、その他の構成は、図１の場合と同様である。
【００２１】
従って、図７は、ＤＳＰ２Ａの内部構成の一例を示しており、図７において、ＤＳＰ２Ａは、図２のＤＳＰ２と同様に、Ａ／Ｄコンバータ１からのＬｃｈ入力とＲｃｈ入力から入力値の絶対値を算出する絶対値処理部２１、この絶対値処理部２１で算出された入力値の絶対値からアタック／リカバリー値とブースト量を選択するレベル検出部２２、およびレベル検出部２２の出力からブースト演算を行うコンプレッション利得演算部２３が設けられる他に、絶対値処理部２１の入力側に、Ｌｃｈ入力から特定の周波数帯域を抜き出すバンドパスフィルタ３４と、Ｒｃｈ入力から特定の周波数帯域を抜き出すバンドパスフィルタ３５が設けられ、バンドパスフィルタ３４の出力が絶対値処理部２１に供給されると共に乗算器２７に供給され、バンドパスフィルタ３５の出力が絶対値処理部２１に供給されると共に乗算器３２に供給される。そして、乗算器２７では、バンドパスフィルタ３４の出力とコンプレッション利得演算部２３の出力を乗算して加算器２８に供給し、加算器２８では乗算部２７の出力とＬｃｈの入力値を加算して出力し、一方、乗算器３２では、バンドパスフィルタ３５の出力とコンプレッション利得演算部２３の出力を乗算して加算器３３に供給し、加算器３３では乗算部３２の出力とＲｃｈの入力値を加算して出力する。
【００２２】
従って、コンプレッション利得演算部２３、乗算器２７および加算器２８を含む上側部分では、入力値からＬｃｈに関する特定の周波数帯域を抜き出し、そのブースト量を演算して入力値を足し込み、また、コンプレッション利得演算部２３、乗算器３２および加算器３３を含む下側部分では、入力値からＲｃｈに関する特定の周波数帯域を抜き出し、そのブースト量を演算して入力値を足し込むように働く。
【００２３】
次に、図８を参照して、ＤＳＰ２Ａにおける音質制御処理の動作を説明する。
ステップＳＴ２１において、バンドパスフィルタ３４,３５を用いて特定の周波数帯域を抜き出し、ステップＳＴ２２において、絶対値処理部２１で入力信号の絶対値の処理取得、即ち入力値の絶対値を算出し、ステップＳＴ２３において、レベル検出部２２により入力最大値がサンプリング前最大値以上であるか否か、つまり、前出力値と現出力値を比較してアタックまたはリカバリーの分岐処理を行い、入力最大値がサンプリング前最大値以上であれば、ステップＳＴ２４において、コンプレッション利得演算部２３でアタック処理、つまりアタック係数の選択を行い、入力最大値がサンプリング前最大値以上でなければ、ステップＳＴ２５において、リカバリー処理、つまりリカバリー係数の選択を行う。
【００２４】
そして、上述のステップＳＴ２４のアタック処理またはステップＳＴ２５のリカバリー処理が終わると、ステップＳＴ２６において、入力レベルがブーストレベルＬ１以上か否かの分岐処理を行い、ステップＳＴ２６で入力レベルがブーストレベルＬ１以上であれば、ステップＳＴ２７において、ブーストレベルに応じた傾き,切片の選択、つまり、ブーストレベルＬ１用の傾き,切片の選択を行い、ステップＳＴ２６で入力レベルがブーストレベルＬ１以上でなければ、ステップＳＴ２８において、入力レベルがブーストレベルＬ２以上か否かの分岐処理を行い、ステップＳＴ２８で入力レベルがブーストレベルＬ２以上であれば、ステップＳＴ２９において、ブーストレベルに応じた傾き,切片の選択、つまり、ブーストレベルＬ２用の傾き,切片の選択を行い、ステップＳＴ２８で入力レベルがブーストレベルＬ２以上でなければ、ステップＳＴ３０において、ブーストレベルに応じた傾き,切片の選択、つまり、ブーストレベルＬ３用の傾き,切片の選択を行う。
【００２５】
そして、ステップＳＴ２７、Ｓ２９およびＳ３０におけるブーストレベルに応じた傾き,切片の選択が全て終了すると、ステップＳＴ３１において、出力目標値の算出を次式に従って行う。
出力目標値＝平滑処理後の信号×傾き＋切片                      （４）
次いで、ステップＳＴ３２において、出力目標値への演算用ＧＡＩＮの算出を次式に従って行う。
【００２６】
ＧＡＩＮ＝出力目標値＋平滑処理後の信号                        （５）
最後に、ステップＳＴ３３において、算出されたＧＡＩＮを、次式に従い現入力、ＬＰＦ信号、ＨＰＦ信号それぞれに演算して足し込む。
ダイレクト信号×ＧＡＩＮ＋バンドパスフィルタ信号×ＧＡＩＮ    （６）
【００２７】
図９は、本実施の形態における周波数特性の一例を示しており、入力信号が全帯域での入力レベルなので各帯域に合わせたブーストができないが、処理ステップ数が少なく、また、係数によってブースト量を変更（機種毎の仕様に合わせて等）できる利点がある。
【００２８】
このように、本実施の形態では、バンドパスフィルタを使用することによりレベル調整を行いたい周波数帯域を抜き出しブースト調整を行うことができ、上記実施の形態１と同様にステップ数が少ないが、周波数帯域を自由に変更することができる。
【００２９】
実施の形態３．
図１０は、この発明の実施の形態３による自動音質調整装置を示すもので、本実施の形態では、ＤＳＰとして、実質的に実施の形態１の図２におけるＤＳＰ２の構成と、実施の形態２の図７におけるＤＳＰ２Ａの構成を選択的に組み合わせた音質調整手段としてのＤＳＰ２Ｂを用いるものである。
図１０において、ＤＳＰ２Ｂは、Ａ／Ｄコンバータ１からのＬｃｈ入力とＲｃｈ入力からそれぞれＢＡＳＳ帯域を抜き出すＢＡＳＳ−ＬＰＦ（ＢＡＳＳローパスフィルタ）２４ａ,２４ｂと、ＢＡＳＳ−ＬＰＦ２４ａ,２４ｂの出力から入力値の絶対値を算出する絶対値処理部２１ａと、この絶対値処理部２１ａで算出された入力値の絶対値からアタック／リカバリー値とブースト量を選択するレベル検出部２２ａと、レベル検出部２２ａの出力からブースト演算を行うコンプレッション利得演算部２３ａと、ＢＡＳＳ−ＬＰＦ２４ａの出力とコンプレッション利得演算部２３ａの出力を乗算する乗算器２７ａと、ＢＡＳＳ−ＬＰＦ２４ｂの出力とコンプレッション利得演算部２３ａの出力を乗算する乗算器３２ａとを備える。
【００３０】
また、ＤＳＰ２Ｂは、Ａ／Ｄコンバータ１からのＬｃｈ入力とＲｃｈ入力からそれぞれＴＲＥＢＬＥ帯域を抜き出すＴＲＥＢＬＥ−ＨＰＦ（ＴＲＥＢＬＥハイパスフィルタ）２５ａ,２５ｂと、ＴＲＥＢＬＥ−ＨＰＦ２５ａ,２５ｂの出力から入力値の絶対値を算出する絶対値処理部２１ｂと、この絶対値処理部２１ｂで算出された入力値の絶対値からアタック／リカバリー値とブースト量を選択するレベル検出部２２ｂと、レベル検出部２２ｂの出力からブースト演算を行うコンプレッション利得演算部２３ｂと、ＴＲＥＢＬＥ−ＨＰＦ２５ａの出力とコンプレッション利得演算部２３ｂの出力を乗算する乗算器２７ｂと、ＴＲＥＢＬＥ−ＨＰＦ２５ｂの出力とコンプレッション利得演算部２３ｂの出力を乗算する乗算器３２ｂとを備える。さらに、ＤＳＰ２Ｂは、乗算部２７ａ,２７ｂの各出力とＬｃｈの入力値を加算して出力する加算器２８ａと、乗算部３２ａ,３２ｂの各出力とＲｃｈの入力値を加算して出力する加算器３３ａとを備える。
【００３１】
次に、図１１を参照して、ＤＳＰ２Ｂにおける音質制御処理の動作を説明する。
ステップＳＴ４１において、ＢＡＳＳ−ＬＰＦ２４ａ,２４ｂを用いてそれぞれＬｃｈ,Ｒｃｈ入力から特定の周波数帯域を抜き出し、絶対値処理部２１ａで入力信号の絶対値の処理取得、即ち入力値の絶対値を算出し、同様に、ステップＳＴ４２において、ＴＲＥＢＬＥ−ＨＰＦ２５ａ,２５ｂを用いてそれぞれＬｃｈ,Ｒｃｈ入力から特定の周波数帯域を抜き出し、絶対値処理部２１ｂで入力信号の絶対値の処理取得、即ち入力値の絶対値を算出し、ステップＳＴ４３において、上述の図８のステップＳＴ２３〜ＳＴ３２における処理と同様のＢＡＳＳ利得演算処理をコンプレッション利得演算部２３ａで行い、また、ステップＳＴ４４において、上述の図８のステップＳＴ２３〜ＳＴ３２における処理と同様のＴＲＥＢＬＥ利得演算処理をコンプレッション利得演算部２３ｂで行い、ステップＳＴ４５において、ステップＳＴ４３で算出されたＧＡＩＮをＢＡＳＳ信号と乗算器２７ａ,２７ｂで演算（乗算）し、ステップＳＴ４４で算出されたＧＡＩＮをＴＲＥＢＬＥ信号と乗算器３２ａ,３２ｂで演算し、加算器２８ａ,２８ｂで上記２つの現入力にＧＡＩＮを演算した結果に足し込む。即ち、ステップＳＴ４５では、次式に従った演算処理を行う。
【００３２】
ダイレクト信号×ＧＡＩＮ＋ＢＡＳＳ−ＬＰＦ信号×ＧＡＩＮ＋ＴＲＥＢＬＥ
−ＨＰＦ信号×ＧＡＩＮ                                          （６）
【００３３】
図１２は、本実施の形態における周波数特性の一例を示しており、ここでは、補正前を０ｄＢとすると補正後は、周波数１０００Ｈｚ近辺を境にその低域部分では、ブースト量が約１０数ｄＢアップしており、また、その高域部分では、ブースト量が１０ｄＢ近辺までアップしていることが分かる。このようにして、本実施の形態では、周波数帯域、ブースト量共々個別に指定できる。なお、ステップ数が多くなり処理的に無駄が増えてしまうが、ＬＳＩの性能が上がってきているため、現実的には可能な処理ではある。
【００３４】
このように、本実施の形態では、バンドパスフィルタでＢＡＳＳとＴＲＥＢＬＥを抜き出し、それぞれブースト調整を行うことで、可変のＬＯＵＤＮＥＳＳ調整が可能となる。
【図面の簡単な説明】
【００３５】
【図１】この発明の実施の形態１による自動音質調整装置の構成を示すブロック図である。
【図２】この発明の実施の形態１による自動音質調整装置の要部を示す構成図である。
【図３】この発明の実施の形態１による自動音質調整装置の要部の動作説明をするためのフローチャートである。
【図４】この発明の実施の形態１による自動音質調整装置の要部におけるアタック／リカバリー機能を説明するための図である。
【図５】この発明の実施の形態１による自動音質調整装置の要部における入力レベルにより設定されたブースト量を可変した場合のコンプレッション特性を示す図である。
【図６】この発明の実施の形態１による自動音質調整装置における周波数特性の一例を示す図である。
【図７】この発明の実施の形態２による自動音質調整装置の要部を示す構成図である。
【図８】この発明の実施の形態２による自動音質調整装置の要部の動作説明をするためのフローチャートである。
【図９】この発明の実施の形態２による自動音質調整装置における周波数特性の一例を示す図である。
【図１０】この発明の実施の形態３による自動音質調整装置の要部を示す構成図である。
【図１１】この発明の実施の形態３による自動音質調整装置の要部の動作説明をするためのフローチャートである。
【図１２】この発明の実施の形態３による自動音質調整装置における周波数特性の一例を示す図である。
【符号の説明】
【００３６】
１  Ａ／Ｄコンバータ、２,２Ａ,２Ｂ  ＤＳＰ、３,４  Ｄ／Ａコンバータ、５,６  アンプ、７  マイコン、８  ブースト量選択スイッチ、２１,２１ａ  絶対値処理部、２２,２２ａ  レベル検出部、２３,２３ａ  コンプレッション利得演算部、２４,２４a,２４ｂ,２９  ＢＡＳＳ−ＬＰＦ、２５,２５ａ,２５ｂ,３０  ＴＲＥＢＬＥ−ＨＰＦ、２６,２７,２７ａ,２７ｂ,３１,３２,３２ａ,３２ｂ  乗算器、２８,２８ａ,３３,３３ｂ  加算器、３４,３５  バンドパスフィルタ。
【図１】
2006339864.tif 000003
【図２】
2006339864.tif 000004
【図３】
2006339864.tif 000005
【図４】
2006339864.tif 000006
【図５】
2006339864.tif 000007
【図６】
2006339864.tif 000008
【図７】
2006339864.tif 000009
【図８】
2006339864.tif 000010
【図９】
2006339864.tif 000011
【図１０】
2006339864.tif 000012
【図１１】
2006339864.tif 000013
【図１２】
2006339864.tif 000014